(57)【要約】【課題】長期間に亘って貯水された機能水に雑菌が増殖するのを低減することができる機能水生成装置を提供する。【解決手段】水を貯水する貯水槽１０と、貯水槽１０内に浸漬するとともに電圧を印加して電気分解により機能水を生成する一対の電極２０、３０と、貯水槽１０内に一部を浸漬して毛管現象により機能水を吸水する吸水部１２と、吸水部１２に吸水された機能水をミスト化又はスチーム化して空気中に放散する放散部１１ａと、吸水部１１ａに配されて抗菌性のイオンを溶出する抗菌剤１３とを備えた。【選択図】図１
2016083600.tif 000002
【特許請求の範囲】
【請求項１】
水を貯水する貯水槽と、前記貯水槽内に浸漬するとともに電圧を印加して電気分解により機能水を生成する一対の電極と、前記貯水槽内に一部を浸漬して毛管現象により機能水を吸水する吸水部と、前記吸水部に吸水された機能水をミスト化又はスチーム化して空気中に放散する放散部と、前記吸水部に配されて抗菌性のイオンを溶出する抗菌剤とを備えたことを特徴とする機能水生成装置。
【請求項２】
前記抗菌剤が前記貯水槽の機能水生成時の上限水位より上方に位置することを特徴とする請求項１に記載の機能水生成装置。
【請求項３】
前記放散部が超音波振動子により形成されるとともに、前記吸水部の下端が前記電極よりも上方に配され、前記超音波振動子が所定温度よりも高温になった際に前記電極間に機能水生成時と逆方向の電圧を印加して前記電極に吸着した吸着成分を脱離させる脱離モードを開始することを特徴とする請求項１又は請求項２に記載の機能水生成装置。
【請求項４】
前記抗菌剤が銀又は銅から成ることを特徴とする請求項１〜請求項３のいずれかに記載の機能水生成装置。
【請求項５】
放電により空気中にイオンを放出するイオン発生装置を備え、前記イオン発生装置と前記放散部とを択一的に駆動することを特徴とする請求項１〜請求項４のいずれかに記載の機能水生成装置。
【発明の詳細な説明】
【技術分野】
【０００１】
本発明は、機能水を生成する機能水生成装置に関する。
【背景技術】
【０００２】
従来の機能水生成装置が特許文献１に開示されている。この機能水生成装置は貯水槽内に配された一対の電極間に電圧を印加して貯水槽内の水を電気分解する。これにより、貯水槽内の水から酸性水から成る機能水を生成することができる。このとき、アノードとなる電極では塩素ガスが発生するとともに、塩素ガスが水に容易に溶け、次亜塩素酸に変化する。次亜塩素酸は貯水槽内の機能水に含まれる雑菌を除菌することができる。
【先行技術文献】
【特許文献】
【０００３】
【特許文献１】特許第２８５８８５３号
【発明の概要】
【発明が解決しようとする課題】
【０００４】
上記従来の機能水生成装置によると、貯水槽内に貯水された機能水を長期間放置すると、機能水に含まれる次亜塩素酸が抜けて貯水された機能水に雑菌が増殖する問題があった。
【０００５】
本発明は、長期間に亘って貯水された機能水に雑菌が増殖するのを低減することができる機能水生成装置を提供することを目的とする。
【課題を解決するための手段】
【０００６】
上記目的を達成するために本発明は、水を貯水する貯水槽と、前記貯水槽内に浸漬するとともに電圧を印加して電気分解により機能水を生成する一対の電極と、前記貯水槽内に一部を浸漬して毛管現象により機能水を吸水する吸水部と、前記吸水部に吸水された機能水をミスト化又はスチーム化して空気中に放散する放散部と、前記吸水部に配されて抗菌性のイオンを溶出する抗菌剤とを備えたことを特徴としている。
【０００７】
この構成によると、電極間に電圧を印加して電気分解により機能水を生成するとともに次亜塩素酸が生成される。また、吸水部に配された抗菌剤から機能水に抗菌性のイオンが溶出する。
【０００８】
また、本発明は、上記構成の機能水生成装置において、前記抗菌剤が前記貯水槽の機能水生成時の上限水位より上方に位置することを特徴としている。
【０００９】
また、本発明は、上記構成の機能水生成装置において、前記放散部が超音波振動子により形成されるとともに、前記吸水部の下端が前記電極よりも上方に配され、前記超音波振動子が所定温度よりも高温になった際に前記電極間に機能水生成時と逆方向の電圧を印加して前記電極に吸着した吸着成分を脱離させる脱離モードを開始することを特徴としている。
【００１０】
また、本発明は、上記構成の機能水生成装置において、前記抗菌剤が銀又は銅から成ることを特徴としている。
【００１１】
また、本発明は、上記構成の機能水生成装置において、放電により空気中にイオンを放出するイオン発生装置を備え、前記イオン発生装置と前記放散部とを択一的に駆動することを特徴としている。
【発明の効果】
【００１２】
本発明によると、電極間に電圧を印加して電気分解により機能水を生成するとともに次亜塩素酸が生成され、生成直後から機能水に含まれる雑菌を除菌することができる。また、吸水部に配された抗菌剤から機能水に抗菌性のイオンが溶出する。これにより、機能水に含まれる次亜塩素酸が抜けた場合でも、抗菌剤から溶出した抗菌性のイオンにより、長期間に亘って貯水された機能水に雑菌が増殖するのを低減することができる。
【図面の簡単な説明】
【００１３】
【図１】本発明の第１実施形態に係る機能水生成装置を概略的に示す側面断面図。
【図２】本発明の第１実施形態に係る機能水生成装置の上面図。
【図３】本発明の第２実施形態に係る機能水生成装置を概略的に示す側面断面図。
【図４】本発明の第３実施形態に係る機能水生成装置を概略的に示す側面断面図。
【図５】本発明の第４実施形態に係る機能水生成装置を概略的に示す側面断面図。
【発明を実施するための形態】
【００１４】
［第１実施形態］
以下に本発明の実施形態を図面の参照にて説明する。図１、図２は第１実施形態に係る機能水生成装置１を概略的に示す側面断面図、上面図である。機能水生成装置１は貯水槽１０を備え、貯水槽１０の上面の開口部１０ａは蓋部１１により閉栓されている。蓋部１１の一部には給水口１１ｂが開口し、給水口１１ｂを介して貯水槽１０内へ市水を直接入れることができる。また、給水口１１ｂを介して貯水槽１０内の水を廃棄することができる。
【００１５】
また、蓋部１１にはメッシュ状の透過型の超音波振動子（放散部）１１ａが配され、超音波振動子１１ａの下方には吸水部１２が設けられている。吸水部１２は上下方向に延びて下端が後述する金属電極２０よりも上方に位置する。また、吸水部１２はスポンジ状に形成されており、貯水槽１０内に一部が浸漬して毛管現象により貯水槽１０内の水を吸い上げる。吸水部１２により吸い上げられた水は超音波振動子１１ａを透過し、超音波振動子１１ａの駆動によってミスト化又はスチーム化して貯水槽１０の外部に向かって空中に放散される。
【００１６】
また、吸水部１２には抗菌剤１３が配されており、抗菌剤１３は吸水部１２が浸漬する水に抗菌性のイオンを溶出する。抗菌剤１３として具体的には銅、亜鉛、銀又はこれらの金属の合金から成る金属片を用いることができる。また、これらの金属を多孔性セラミックにより担持した金属ゼオライト、金属シリカ等を用いてもよい。また、抗菌剤１３はスポンジ状の吸水部１２の一部に金属片を組み込んで配してもよいし、金属粒子を分散させて担持するスポンジを吸水部１２の一部に接合して配してもよい。
【００１７】
銅イオンは防カビ性に優れ、亜鉛イオン及び銀イオンは殺菌性に優れている。なお、菌性イオンの種類によって水のｐＨによって溶出量が変化し易い。このため、溶出する水のｐＨの影響を受け難い銀イオンを溶出させる抗菌剤１３を用いることが好ましい。
【００１８】
また、抗菌剤１３は貯水槽１０内の後述する機能水生成時の上限水位Ｈ１より下方に位置する。これにより、機能水生成時に抗菌剤１３が貯水槽１０内の機能水に完全に浸漬し、抗菌性イオンの溶出が促進される。
【００１９】
貯水槽１０の内部にはフロートセンサ１４と電圧印加部４０が設けられる。フロートセンサ１４は貯水槽１０内の水位を検知する。電圧印加部４０は貯水槽１０に浸漬される金属電極２０とイオン吸着電極３０とを備える。なお、貯水槽１０はいわゆる無隔膜一槽式であり、金属電極２０とイオン吸着電極３０とを仕切る隔膜は設けられていない。
【００２０】
金属電極２０及びイオン吸着電極３０はスイッチング回路（不図示）に接続されている。スイッチング回路により、金属電極２０とイオン吸着電極３０に印加する電圧を正逆方向に切り替えることができる。これにより、金属電極２０とイオン吸着電極３０をカソードとして電圧を印加したり、金属電極２０とイオン吸着電極３０をアノードとして電圧を印加することができる。
【００２１】
金属電極２０及びイオン吸着電極３０は平板状の電極であり、水平方向に平行に配置されている。金属電極２０は水の電気分解が生じやすい金属（例えば白金）で表面をコーティングしたチタン電極等を用いる。なお、白金単体からなる電極を用いてもよい。なお、白金の替わりに水の電気分解を効率的に行いやすい金属、例えば金、パラジウム、ロジウム、イリジウムのいずれかの金属を用いてもよい。また、これらの金属の合金又は酸化物を用いてもよい。なお、白金に替えて酸化イリジウムをコートすると、金属電極２０をアノードとしたときに白金をコートした場合と比較して次亜塩素酸の生成を増加させることができる。
【００２２】
また、金属電極２０がイオン吸着電極３０の上方に配される場合、メッシュ状や、ラス形状であることが好ましい。これにより、電極間で電気分解時に生じる酸素ガス、水素ガスが金属電極２０を抜け易くなり、通気性が向上する。
【００２３】
イオン吸着電極３０は親水性電極活物質である粒状活性炭を凝集させて形成することが好ましく、粒状活性炭を用いることでイオン吸着電極３０の表面に多孔質吸着面を形成することができる。これにより、水道水等の水中に溶存しているＭｇイオン、Ｃａイオンなどの硬度成分を多孔質吸着面に効果的に吸着させることができる。
【００２４】
以上のように構成された機能水生成装置１において、機能水生成装置１は機能水生成モードと脱離モードを有する。機能水生成モードでは貯水槽１０に水を給水した後、金属電極２０がアノード、イオン吸着電極３０がカソードとなるように電圧を印加する。これにより、金属電極２０では式（１）、（２）に示すように、水素イオン（Ｈ+）が生成するとともに酸素ガスや塩素ガスが発生する。
【００２５】
Ｈ2Ｏ→１/２Ｏ2＋２Ｈ+＋２e-・・・（１）
２Ｃｌ→Ｃｌ2＋２e-              ・・・（２）
【００２６】
また、式（２）において発生する塩素ガスは式（３）、式（４）に示すように水に容易に溶け、次亜塩素酸、及び次亜塩素酸イオンに変化する。
【００２７】
【化１】
2016083600.tif 000003
【００２８】
これにより、貯水槽１０内の水は次亜塩素酸により、除菌される。なお、次亜塩素酸は例えばレジオネラ菌に対して数分以内に１０-4のオーダーで除菌が可能であり、細菌に対する殺菌の即効性が高い。
【００２９】
一方、イオン吸着電極３０では水道水等の水中に溶存しているＭｇイオン、Ｃａイオンなどの硬度成分（Ｍ）のイオン（Ｍ2+）が式（５）に示すようにイオン吸着電極の有する多孔質吸着面を利用して硬度成分（Ｍ）となって吸着する。
【００３０】
Ｍ2+＋２e-→Ｍ・・・（５）
【００３１】
また、イオン吸着電極３０では式（６）に示すように水酸化物イオンが生成するとともに水素ガスが発生する。このとき、イオン吸着電極３０は水酸化物イオンの発生は限定的であり、金属電極２０で発生する水素イオンが増加して水のｐＨが減少して弱酸性の機能水が生成される。
【００３２】
２Ｈ2Ｏ＋２e-→Ｈ2＋２ＯＨ-      ・・・（６）
【００３３】
なお、機能水のｐＨは３以上５以下であることが好ましく、弱酸性の機能水には細菌の増殖を低減する効果がある。
【００３４】
機能水生成モードが終了すると、超音波振動子１１ａの駆動により、生成された機能水がミスト化又はスチーム化されて空中に放散される。このとき、放散された機能水は弱酸性であり、次亜塩素酸及び抗菌イオンを含むため室内の細菌感染を未然に防ぐことが期待できる。また、弱酸性の機能水には人体に対しては肌に対するアストリンゼン効果による皮膚等の活性化、肌の引き締め効果がある。
【００３５】
また、機能水生成後から所定期間（例えば、１週間）が経過すると、貯水槽１０に貯水された機能水に含まれる次亜塩素酸が抜けて次亜塩素酸の濃度が低下する。また、イオン吸着電極３０に吸着した硬度成分が脱着し、機能水が中性化してレジオネラ菌を含む細菌が増殖し易くなる。
【００３６】
しかし、次亜塩素酸の濃度が低下した後においても抗菌剤１３から抗菌性のイオンが徐々に機能水に溶出する。このため、機能水は長期間放置された状態において、抗菌性のイオンの濃度の上昇により細菌の増殖が低減される。また、抗菌性イオンは例えばレジオネラ菌に対して半日〜1日の期間が経過しなければ１０-4のオーダーで除菌ができない。つまり、細菌に抗菌性イオンの細胞毒が作用するまで時間を要する。しかし、機能水生成直後は即効性の高い次亜塩素酸によって除菌が行われる。このため、次亜塩素酸と抗菌剤１３を組み合わせることにより、長期間に亘って機能水の細菌の増殖を低減することができる。
【００３７】
なお、貯水槽１０の水位が抗菌剤１３よりも下方に低下した状態で超音波振動子１１ａの駆動を停止すると、吸水部１２に吸水された機能水の一部が重力により下がり、貯水槽１０内の機能水と混合する。このとき、抗菌剤１３から溶出した抗菌性のイオンも貯水槽１０内の機能水に含まれ、貯水槽１０に貯水された機能水の細菌の増殖が低減される。
【００３８】
また、吸水部１２に吸水されて残った機能水には抗菌性のイオンが溶出し続けるため、吸水部１２に吸水されて残った機能水は抗菌性イオンの濃度が高い。このため、超音波振動子１１ａの駆動を再開した直後は除菌された機能水をミスト化又はスチーム化して空中に放散することができる。
【００３９】
超音波振動子１１ａの駆動によりイオン吸着電極３０に過度に硬度成分が吸着すると、機能水の生成効率が低下する。このため、機能水生成モードを所定回数繰り返した後、脱離モードが開始される。脱離モードでは超音波振動子１１ａの駆動を停止した状態で、金属電極２０及びイオン吸着電極３０に電気分解時とは逆向きの電圧を印加する。つまり、金属電極２０がカソード、イオン吸着電極３０がアノードとなるように電圧を印加する。
【００４０】
これにより、イオン吸着電極３０表面に吸着した硬度成分Ｍが式（７）に示すようにイオン状態（Ｍ2+）となって水中に溶出する。
【００４１】
Ｍ→Ｍ2+＋２e-・・・（７）
【００４２】
一方、金属電極２０の金属電極の表面では、上記式（６）に示すように水素ガスとＯＨ-イオンが発生する。これにより、貯水槽１０内の残留水中にイオン吸着電極からＣａイオン、Ｍｇイオン等の硬度イオン成分を溶出させるとともに、水酸化物イオンが増加して水ｐＨは上昇してアルカリ化する。
【００４３】
また、吸着した硬度成分を充分に脱着するためには機能水生成モードにおいて生成した機能水の１／１０〜１／２程度の水量を貯水槽１０に貯水して逆電圧を印加することが好ましい。また、機能水生成モードにおいて生成した機能水の１／５〜１／２程度の水量を貯水槽１０に貯水して逆電圧を印加することがより好ましい。１／５〜１／２程度の水量とすることにより、生成した機能水（弱酸性水）に比べ少ない水量で吸着した硬度成分を充分に脱着させることができる。
【００４４】
なお、脱離モードにおいて貯水槽１０に貯水される水が機能水生成モードにおいて生成した機能水の１／５より少ない場合、脱着が充分に行われず、次の機能水生成モードにおいて硬度成分の吸着力が低下する。
【００４５】
また、脱離モードにおいて貯水槽１０内の水の中に金属電極２０及びイオン吸着電極３０全体が浸漬している状態に維持されることが好ましい。これにより、硬度イオン成分を水中に確実に溶出することができる。このため、脱離モードはフロートセンサ１４が貯水槽１０内の水位が金属電極２０の上方に位置することを検知して開始されるのが好ましい。また、貯水槽１０内の水位が低い場合、給水口１１ｂを介して貯水槽１０内へ市水を直接入れた後に脱離モードを行うことが好ましい。また、脱離モードにおいて生成した貯水槽１０内の硬度イオン成分を含む残留水は脱離モード終了後、給水口１１ｂを介して廃棄される。
【００４６】
本実施形態によると、吸水部１２に配された抗菌剤１３が生成された機能水に抗菌性のイオンを溶出させる。このため、機能水に含まれる次亜塩素酸が抜けた後でも抗菌性のイオンが雑菌の増殖を低減することができる。したがって、次亜塩素酸と抗菌剤１３を組み合わせることにより、長期間に亘って機能水の細菌の増殖を低減することができる。
【００４７】
また、抗菌剤１３が銀又は銅から成ることにより、殺菌性や抗カビ性に優れた抗菌イオンを機能水に溶出させることができる。
【００４８】
＜第２実施形態＞
図３は第２実施形態に係る機能水生成装置１を概略的に示す側面断面図である。なお、第１実施形態と同一部分は同一符号を付して説明を省略する。第１実施形態に対して第２実施形態は抗菌剤１３が機能水生成時の上限水位Ｈ１より上方に位置する。その他の部分は第１実施形態と同様である。
【００４９】
抗菌剤１３は種類によって弱酸性の機能水に対して抗菌性イオンを溶出し易くなる。このため、抗菌剤１３を機能水生成時の上限水位Ｈ１よりも上方に配置し、貯水槽１０に貯水された機能水に抗菌剤１３が浸積されないようになっている。これにより、抗菌剤１３が機能水に長期間浸積されることによる過剰な抗菌性イオンの溶出を防止することができる。従って、抗菌剤１３の長寿命化を図ることができる。また、抗菌性イオンを過剰に含む機能水の放散を防止し、室内の電気回路の不具合や人体への影響を軽減することができる。
【００５０】
なお、抗菌剤１３が貯水槽１０内の機能水に浸漬されていない場合でも、超音波振動子１１ａの駆動を停止すると、吸水部１２に吸水された機能水の一部が重力により下がり、貯水槽１０内の機能水と混合する。これにより、抗菌剤１３から溶出した抗菌性のイオンが貯水槽１０内の機能水に含まれ、貯水槽１０に貯水された機能水の細菌の増殖が低減される。
【００５１】
＜第３実施形態＞
図４は第３実施形態に係る機能水生成装置１を概略的に示す側面断面図である。なお、第１実施形態と同一部分は同一符号を付して説明を省略する。第１実施形態に対して第３実施形態はフロートセンサ１４の替わりに超音波振動子１１ａの温度を検知する検知部１１ｃが設けられている。その他の部分は第１実施形態と同様である。
【００５２】
貯水槽１０内の水位が吸水部１２の下端より低下すると、吸水部１２は貯水槽１０内の機能水を吸い上げることができないため、超音波振動子１１ａに機能水が給水されない。このため、超音波振動子１１ａは機能水が枯渇した状態で駆動して温度が上昇する。検知部１１ｃは超音波振動子１１ａの温度を検知し、超音波振動子１１ａが所定温度よりも高温になった際に貯水槽１０の水位が吸水部１２の下端より低下したと判断する。これにより、脱離モードを開始することによりフロートセンサ１４を設けることなく脱離モードの開始時期を判断することができる。
【００５３】
＜第４実施形態＞
図５は第４実施形態に係る機能水生成装置１を概略的に示す側面断面図である。なお、第１実施形態と同一部分は同一符号を付して説明を省略する。第１実施形態に対して第４実施形態は貯水槽１０の外部に放電により空気中にイオンを放出するイオン発生装置５０が設けられている。
【００５４】
イオン発生装置５０は絶縁体から成るハウジング５０ａにより覆われる。ハウジング５０ａ内には針状の放電電極（不図示）が複数並設されている。また、放電電極の先端はハウジング５０ａの外壁から突出し、ハウジング５０ａの外部に臨んでいる。放電電極からコロナ放電して発生した正イオン及び負イオンがハウジング５０ａの外部に放出される。
【００５５】
このとき、発生した正イオンが空気中の水分と結合して主としてＨ+（Ｈ2Ｏ）ｍから成る電荷が正のクラスタイオンを発生する。また、発生した負イオンが空気中の水分と結合して主としてＯ2-（Ｈ2Ｏ）ｎから成る電荷が負のクラスタイオンを発生する。ここで、ｍ、ｎは任意の自然数である。Ｈ+（Ｈ2Ｏ）ｍ及びＯ2-（Ｈ2Ｏ）ｎは空気中の浮遊菌、及び臭い成分の表面で凝集してこれらを取り囲む。
【００５６】
そして、式（８）〜（１０）に示すように、衝突により活性種である［・ＯＨ］（水酸基ラジカル）やＨ2Ｏ2（過酸化水素）を微生物等の表面上で凝集生成して浮遊菌等や臭い成分等を破壊する。ここで、ｍ’、ｎ’は任意の自然数である。従って、室内の殺菌、ウイルスの不活化及び臭い除去を行うことができる。
【００５７】
Ｈ+(Ｈ2Ｏ)ｍ＋Ｏ2-(Ｈ2Ｏ)ｎ→・ＯＨ＋１／２Ｏ2＋(ｍ＋ｎ)Ｈ2Ｏ ・・・（８）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ ２・ＯＨ＋Ｏ2＋(ｍ＋ｍ'＋ｎ＋ｎ')Ｈ2Ｏ ・・・（９）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ’＋ｎ＋ｎ')Ｈ2Ｏ ・・・（１０）
【００５８】
また、イオン発生装置５０と超音波振動子１１ａは択一的に駆動する。これにより、イオン発生装置５０で発生したクラスタイオンが超音波振動子１１ａで発生したミスト又はスチームによって消滅するのを防止することができる。
【００５９】
なお、イオン発生装置５０と超音波振動子１１ａとを択一的に駆動するに際して、機能水生成装置１の一部に湿度センサを設け、例えば湿度５０％未満では超音波振動子１０ａを駆動し（イオン発生装置５０を停止）、湿度５０％以上ではイオン発生装置５０を駆動（超音波振動子１０ａは停止）するなどの制御を行っても良い。
【００６０】
なお、本発明は上記実施形態に限定されない。例えば、第１実施形態〜第４実施形態において金属電極２０及びイオン吸着電極３０は種々変更可能である。例えば、イオン吸着電極３０に金属電極（白金で表面をコーティングしたチタン電極）を用いた場合、機能水生成モードにおいて次亜塩素酸の濃度が高い機能水を生成することができる。
【００６１】
また、カソードとなるように印加された金属電極では上式（６）に示すように水酸化物イオンが生成するとともに水素ガスが発生する。このとき、水酸化物イオンは上式（１）における水素イオンとほぼ同数生成しており、中性の機能水が生成される。
【００６２】
また、イオン吸着電極３０の替わりに金属電極を用いることにより、抗菌剤１３から溶出した抗菌性のイオンがイオン吸着電極３０に吸着されるのを低減することができる。これにより、長期間、機能水の雑菌の増殖を低減することができる。
【００６３】
また、超音波振動子１１ａに替えて、加熱式（スチーム式）や気化式（ヒートレスファン式）等のミスト・スチーム発生装置を放散部として用いてもよい。また、これらから選ばれる複数の装置を組み合わせた装置を用いることもでき、例えば、加熱式と気化式を組み合わせたハイブリッド式のミスト・スチーム発生装置を用いてもよい。
【００６４】
また、貯水槽１０に水を給水するための給水タンクや脱離モード終了後の廃液を廃棄するための排水タンクを開閉弁付きの給水管や排水管を介して貯水槽１０に設けてもよい。これにより、脱離モードの終了後や機能水生成モードの開始前に毎回貯水槽２０内の残留水を廃棄したり、市水を貯水槽１０に給水する必要が無くなる。これにより、機能水生成装置１の利便性が向上する。
【００６５】
また、機能水生成装置１に自動車のシガーソケットに接続可能な電源プラグを設け、貯水槽１０をカップホルダに挿入可能な大きさに形成してもよい。これにより、車内に機能水を放散して機能水の制菌効果によって車内での細菌感染を未然に防ぐことが期待できる。
【産業上の利用可能性】
【００６６】
本発明によると、室内で使用される理美容用途又は車内搭載用途の加湿器及び空気清浄機に利用することができる。
【符号の説明】
【００６７】
１                      機能水生成装置
１０                    貯水槽
１０ａ                  開口部
１１                    蓋部
１１ａ                  超音波振動子
１１ｂ                  給水口
１１ｃ                  検知部
１２                    吸水部
１３                    抗菌剤
１４                    フロートセンサ
２０                    金属電極
３０                    イオン吸着電極
５０                    イオン発生装置
【図１】
2016083600.tif 000004
【図２】
2016083600.tif 000005
【図３】
2016083600.tif 000006
【図４】
2016083600.tif 000007
【図５】
2016083600.tif 000008